(57)【特許請求の範囲】
【請求項１】
耳孔内体温を測定する耳孔内体温測定手段と、測定時間を決定する測定時間決定手段と、測定結果を報知する報知手段とを備え、前記耳孔内体温測定手段は、測定時間内の耳孔内体温をピークホールドし、前記測定時間決定手段は、基準時間に室温に応じた時間を加減算して測定時間を決定する耳式体温計であって、前記測定時間決定手段は、耳孔内体温の測定間隔が所定時間以上空いた時、その時点の室温で測定時間を再決定する耳式体温計。
【請求項２】
耳孔内体温を測定する耳孔内体温測定手段と、測定時間を決定する測定時間決定手段と、測定結果を報知する報知手段とを備え、前記耳孔内体温測定手段は、測定時間内の耳孔内体温をピークホールドし、前記測定時間決定手段は、基準時間に室温に応じた時間を加減算して測定時間を決定する耳式体温計であって、前記測定時間決定手段は、耳孔内体温の測定間隔が所定時間未満の耳孔内体温値の測定値を記憶する測定値記憶手段と、前記測定値記憶手段に記憶されている最高値と今回の耳孔内体温の測定値とを比較する測定最高値比較手段を備え、測定値記憶手段に記憶されている最高値より今回の耳孔内体温の測定値が所定値以上低い時は測定時間を延長する耳式体温計。
【請求項３】
耳孔内体温を測定する耳孔内体温測定手段と、測定時間を決定する測定時間決定手段と、測定結果を報知する報知手段とを備え、前記耳孔内体温測定手段は、測定時間内の耳孔内体温をピークホールドし、前記測定時間決定手段は、基準時間に室温に応じた時間を加減算して測定時間を決定する耳式体温計であって、前記測定時間決定手段は、耳孔内体温の測定間隔が所定時間未満の測定回数を記憶する測定回数記憶手段が記憶している測定回数に応じて測定時間を変える耳式体温計。
【請求項４】
測定時間決定手段は、耳孔内体温の測定値が所定値より低い時は測定時間を延長する請求項１から３のいずれか１項に記載した耳式体温計。
【請求項５】
耳孔内体温値修正報知手段を備え、耳孔内体温値修正報知手段は、今回の測定値が測定値記憶手段に記憶されている最高値より所定値以上高い時に、今回の測定値を耳孔内体温値として修正報知する請求項１から４のいずれか１項に記載した耳式体温計。
【発明の詳細な説明】
【０００１】
【発明の属する技術分野】
本発明は、鼓膜温度を非接触で測定できる耳式体温計に関するものである。
【０００２】
【従来の技術】
本来、耳式体温計は、体温中枢である視床下部と血流を共有していて人体の深部体温を良く反映していると言われている鼓膜の温度を、その放射される赤外線を検出することによって瞬時に測定するものである。従来の耳式体温計は、プローブと呼ばれる部分を耳孔内に差し込んで、そこから放射される赤外線を赤外線センサで検出して約１秒で測定完了するもので、測定時間内での耳孔内体温のピークを検出するものもある。
【０００３】
【発明が解決しようとする課題】
前記従来の耳式体温計は、測定値の再現性が低いという課題を有している。つまり、人体の外耳道は非常に個体差があって、細かったり曲がっていたりして、耳式体温計のプローブを単純に耳孔内に差し込んだだけでは、鼓膜から放射される赤外線を捕らえにくいものである。
【０００４】
この場合は、単に測定時間内での耳孔内体温のピークを検出しても、あくまでも外耳道のピーク温度にすぎないものである。また、外耳道を見ている場合は、室温が低いときは、外気に冷やされたり、低温となっているプローブによって冷却されたりして、結果として室温によって測定温度が影響を受けるものである。
【０００５】
【課題を解決するための手段】
本発明は、測定時間を決定する測定時間決定手段が基準時間に室温に応じた時間を加減算して測定時間を決定するようにして、測定値の再現性の高い耳式体温計としている。
更に、測定時間決定手段は、耳孔内体温の測定間隔が所定時間以上空いた時、その時点の室温で測定時間を再決定する。
あるいは、測定時間決定手段は、耳孔内体温の測定間隔が所定時間未満の耳孔内体温値の測定値を記憶する測定値記憶手段と、前記測定値記憶手段に記憶されている最高値と今回の耳孔内体温の測定値とを比較する測定最高値比較手段を備え、測定値記憶手段に記憶されている最高値より今回の耳孔内体温の測定値が所定値以上低い時は測定時間を延長する。
あるいは、測定時間決定手段は、耳孔内体温の測定間隔が所定時間未満の測定回数を記憶する測定回数記憶手段が記憶している測定回数に応じて測定時間を変える。
【０００６】
【発明の実施の形態】
本発明は、測定時間を決定する測定時間決定手段が基準時間に室温に応じた時間を加減算して測定時間を決定するようにして、測定値の再現性の高い耳式体温計としている。
【０００７】
請求項１に記載した発明は、測定時間決定手段は、耳孔内体温の測定間隔が所定時間以上空いた時、その時点の室温で測定時間を再決定するようにして、測定の時間間隔が長い場合にも正確な測定ができる耳式体温計としている。
【０００８】
請求項２に記載した発明は、測定時間決定手段は、測定値記憶手段に記憶されている最高値より今回の耳孔内体温の測定値が所定値以上低い時は測定時間を延長するようにして、今回の測定が鼓膜の方向を正確に捉えていない場合に測定時間を延長して正確な測定ができる耳式体温計としている。
【０００９】
請求項３に記載した発明は、測定時間決定手段は、耳孔内体温の測定間隔が所定時間未満の測定回数を記憶する測定回数記憶手段が記憶している測定回数に応じて測定時間を変えるようにして、測定回数を重ねるにつれて短時間で正確な測定ができる耳式体温計としている。
【００１０】
請求項４に記載した発明は、測定時間決定手段は、耳孔内体温の測定値が所定値より低い時、つまりプローブの方向が鼓膜の方向ではないときには測定時間を延長するようにして、測定値の信頼性の高い耳式体温計としている。
【００１１】
請求項５に記載した発明は、耳孔内体温値修正報知手段を備え、耳孔内体温値修正報知手段は、今回の測定値が測定値記憶手段に記憶されている最高値より所定値以上高い時に、今回の測定値を耳孔内体温値として修正報知するようにして、鼓膜の方向を正しく修正でき、正確な測定ができる耳式体温計としている。
【００１２】
【実施例】
（実施例１）
以下本発明の第１の実施例について説明する。図１は本実施例の構成を示すブロック図である。本実施例の耳式体温計の本体１（以下単に本体１と称する）は、耳孔内に挿入することによって人体が放射する赤外線を本体１に案内するプローブ２と、プローブ２によって案内された赤外線量をもとに耳孔内の温度を測定する耳孔内体温測定手段３と、測定時間決定手段４と、報知手段５と、電源入／切スイッチ６を備えている。電源入／切スイッチ６は、押される毎に耳孔内体温測定手段３と測定時間決定手段４と報知手段５への電源供給の入と切を繰り返すものである。耳孔内体温測定手段３は、赤外線センサ７と、赤外線センサ７の受光窓を開閉する遮蔽板８と、遮蔽板８を駆動する遮蔽板駆動手段９と、赤外線センサ７の温度を検出する赤外線センサ素子温度検出手段１０と、赤外線センサ７の信号と赤外線センサ素子温度検出手段１０の検出温度とから耳孔内の温度を演算する耳孔内体温演算手段１１と、測定時間内に耳孔内体温演算手段１１が演算し続ける耳孔内体温または耳孔内体温とほぼ比例関係にある値の最高値をホールドするピークホールド手段１２と、測定スイッチ１３から構成されている。赤外線センサ７は常に赤外線を受光している状態であると出力がなくなってしまうため、周期的に遮蔽と開口を繰り返すことで出力を得るものである。
【００１３】
前記赤外線センサ素子温度検出手段１０は、赤外線センサ７の素子そのものの温度を検出するものであるが、特に本実施例では測定時に使用者が持った手の温度の影響を受けにくい場所に配置している。このため室温を測定する室温測定手段を兼ねているものである。
【００１４】
また、測定時間決定手段４には、電源入／切スイッチ６の状態が入力されている。報知手段５は、液晶表示部とブザー音吹鳴部によって構成している。
【００１５】
以下、本実施例の動作について説明する。使用者が、電源入／切スイッチ６を押して本体１の電源を入れると、測定時間決定手段４は、まず、電源切状態で電源入／切スイッチ６が押されて電源が入になったことを検知する。次に、赤外線センサ素子温度検出手段１０が検出した温度信号を確認する。このとき赤外線センサ素子温度検出手段１０は、測定時に使用者が持った手の温度の影響を受けにくい場所に配置してあるので、電源が入りになった直後はその検出温度はほぼ室温と等しい。測定時間決定手段４は、前記赤外線センサ素子温度検出手段１０が検出した温度を室温として処理する。即ち、基準時間に室温に応じた時間を加減算して測定時間を決定し、報知手段６を構成する液晶表示部に表示するものである。例えば、基準時間を１５秒として室温が３０℃なら−５秒で１０秒、室温が１０℃なら＋５秒で２０秒等と決定して液晶表示部に表示する。
【００１６】
前記基準時間は、実験によって決定しているものである。即ち、基準室温（本実施例では２３℃としている）で複数の被験者に、プローブ２を使用して耳孔内をゆっくり回転させてもらい、耳孔内体温のピーク値が更新されなくなるまでの時間としているものである。つまり耳孔内をこの期間内、回転させたときのピークホールドされた耳孔内の体温は、同時に測定した舌下温度等の他部位の温度と非常に高い相関関係を有しているものである。つまり、確実に鼓膜の方向を捉えることができるものである。換言すれば、再現性の高い安定した耳孔内体温が得られる測定時間としている。
【００１７】
また、室温に応じて前記基準時間を加減する時間は、同様に実験によって決定しているものである。即ち、複数の被験者にプローブ２を使用して耳孔内の体温を測定したときに、測定した耳孔内の体温が室温の影響を受けない時間の限界から前記加減時間を決定しているものである。
【００１８】
使用者は、表示された測定時間を確認した上で、プローブ２を耳孔内に挿入し、測定スイッチ１３を押して体温の測定を実行する。即ち、測定時間が終了するまでの間、プローブ２の方向を少しずつ異なる方向に向けて、様々な軌道を描く様に回し続けるものである。つまり、この間に鼓膜の方向を捉えるようにしているものである。この間、耳孔内体温測定手段４は耳孔内の体温を測定する。つまり、測定スイッチ１３が押されると、測定時間決定手段４は、遮蔽板駆動手段９によって遮蔽板８を駆動して赤外線センサ７の受光窓を開閉する。プローブ２によって案内された耳孔内より放射された赤外線は、この遮蔽板８の開閉によって赤外線センサ７によって検出される。赤外線センサ７の出力は、赤外線センサ素子そのものの温度によって出力量が規制されるものであるため、耳孔内体温演算手段１１は、赤外線センサ７の出力量と赤外線センサ素子温度検出手段１０で検出した赤外線センサ素子の温度とから耳孔内体温の演算を行う。この耳孔内体温の演算は、一定の時間間隔で繰り返し行うものである。ピークホールド手段１２は、前記演算した最高値を記憶する。
【００１９】
また耳孔内体温演算手段１１は、先に報知手段５を構成する液晶表示部に表示した測定時間が終了した時点で、遮蔽板駆動手段９によって遮蔽板８を閉状態にしてから動作を停止し、報知手段５を構成するブザー吹鳴部で測定終了音を吹鳴させる。同時に、ピークホールド手段１２がホールドしている最高値を耳孔内体温として報知手段５を構成する液晶表示部に表示する。
【００２０】
使用者は、続けて耳孔内体温を測定しない場合は、電源入／切スイッチ６を押して電源を切にする。
【００２１】
なお本実施例では、室温を測定するための室温測定手段を赤外線センサ素子温度検出手段１０と兼用したが、別途設けてもかまわない。また、測定時間の報知を液晶表示部での表示としたが、音声で報知してもかまわない。さらに、本実施例では、耳孔内体温演算手段１１で測定時間中に演算する値も測定終了時同様の耳孔内体温値としたが、測定時間中は耳孔内体温の概略値としてもかまわない。
【００２２】
以上のように本実施例によれば、使用者が鼓膜方向を探り出す時間を確保し、しかも低温下での測定の際にも耳孔内に挿入したプローブによって冷やされた鼓膜周辺部がある程度温度回復する時間を確保して耳孔内体温を測定するようにして使用者が向けた方向と鼓膜方向がわずかにずれても良好な測定再現性の得られる耳式体温計を実現するものである。
【００２３】
（実施例２）
次に本発明の第２の実施例について説明する。図２は本実施例の構成を示すブロック図である。本実施例では、実施例１の構成に加えて、耳孔内体温比較手段１４を有しているものである。
【００２４】
以下、本実施例の動作について説明する。使用者が、電源入／切スイッチ６を押して本体１の電源を入れ、測定時間決定手段４が決定した測定時間の表示を確認した上で、プローブ２を耳孔内に挿入し、測定スイッチ１３を押して測定前に測定時間決定手段４が決定した測定時間の測定が終了するまでは実施例１と同様である。その時点で耳孔内体温比較手段１４は、ピークホールド手段１２によってホールドされている最高値と、所定値即ち本実施例では３５．０℃との比較を行う。比較の結果、最高値が３５．０℃以上の時は、測定時間決定手段４は、遮蔽板駆動手段９によって遮蔽板８を閉状態にしてから動作を停止する。同時に、報知手段５を構成するブザー吹鳴部でピーと測定終了音を吹鳴し、ピークホールド手段１２によってホールドされている最高値を耳孔内体温として報知手段６を構成する液晶表示部に表示する。
【００２５】
また前記比較の結果、最高値が３５．０℃より低い時は、測定時間決定手段４は、さらに５秒単位で測定時間を延長し、５秒経過時点で再び最高値が３５．０℃以上かどうか比較を行い、３５．０℃以上になれば、遮蔽板駆動手段９により遮蔽板８を閉状態にしてから動作を停止し、報知手段６を構成するブザー吹鳴部でピーと測定終了音を吹鳴し、ピークホールド手段１２によってホールドされている最高値を耳孔内体温として報知手段６を構成する液晶表示部に表示する。この時、５秒単位の延長の繰り返しが行われた場合でも、最初に報知した測定時間と延長時間の合計が所定時間（本実施例では１分）を超えないものとしている。
【００２６】
なお本実施例では、測定時間延長のタイミングを測定前に報知した測定時間経過時としたが、次回の測定から延長するようにしてもかまわない。また、本実施例では、所定値以上になるまで時間を延長するようにしたが、延長時間経過後は、さらに測定時間を延長することはせずエラー表示等を行ってもかまわない。
【００２７】
以上のように本実施例によれば、プローブ２が鼓膜の方向を明らかに向いていない場合には、測定時間を延長するようにして信頼度の高い測定が可能な耳式体温計を実現するものである。
【００２８】
（実施例３）
続いて本発明の第３の実施例について説明する。図３は本実施例の構成を示すブロック図である。本実施例では、実施例２の構成に加えて、計時手段１５を有しているものである。
【００２９】
以下、本実施例の動作について説明する。使用者が、電源入／切スイッチ６を押して本体１の電源を入れ、測定時間決定手段４が決定した測定時間の表示を確認した上で、プローブ２を耳孔内に挿入し、測定スイッチ１３を押して１回の測定が終了するのは実施例２と同様である。計時手段１５は、電源入／切スイッチ６が押されてからの時間間隔を計時する。測定時間決定手段４は、測定スイッチ１３が押されて新たな測定を開始する時に、計時手段１５で計時する時間間隔が１０分以上空いた場合は、その時点の室温即ち、その時点で入力した赤外線センサ素子温度検出手段１０が検出した検出温度に応じて測定時間を再決定して報知手段５を構成する液晶表示部で表示するものである。即ち、複数の人が本実施例の耳式体温計を使用して体温を測定する場合を想定してこの条件を決定しているものである。つまり、初めに体温測定を実行してから、１０分以上の時間が経過してから、次の人が体温測定を実行した場合には、その時点で入力した赤外線センサ素子温度検出手段１０が検出した検出温度に応じて測定時間を再決定して報知手段５を構成する液晶表示部で表示するものである。この時点で、計時手段１５は、計時をリセットして新たに計時を開始する。また、使用者が電源入／切スイッチ６を押して、本体１の電源を切る際には、計時手段１５は計時を停止する。
【００３０】
なお本実施例では、測定時間決定手段が再決定する時間間隔を１０分以上としたが、任意の時間間隔としてよい。また、室温に応じて時間間隔を変えてもかまわない。また、本実施例では、計時手段１５によって計時する時間は電源入／切スイッチ６が押されてからの経過時間としたが、測定スイッチ１３が押されてからの経過時間としても良い。
【００３１】
以上のように本実施例によれば、耳孔内体温の測定間隔が所定時間空いた間の室温変化にも対応できる耳式体温計となっている。
【００３２】
（実施例４）
続いて本発明の第４の実施例について説明する。図４は本実施例の構成を示すブロック図で、図５は本実施例の動作を示すフローチャートである。本実施例では、実施例３の構成に加えて、耳孔内体温の測定間隔が所定時間未満の耳孔内体温値の測定値を記憶する測定値記憶手段１６と測定最高値比較手段１７を有しているものである。
【００３３】
以下、本実施例の動作について説明する。使用者が、電源入／切スイッチ６を押して本体１の電源を入れると、計時手段１５が計測間隔管理用タイマをリセットスタートする（ステップ１、２）。測定時間決定手段４は、この時点で室温に応じて測定時間を決定し、報知する（ステップ３）。使用者は、決定した測定時間の表示を確認した上で、プローブ２を耳孔内に挿入し、測定スイッチ１３を押して１回の測定が終了するまでは実施例３と同様である。その後、測定値記憶手段１６は、この各回の測定値を記憶する。次に、使用者が１０分未満内に再び測定スイッチ１３を押して測定を行った場合、測定時間決定手段４は、測定前に決定した測定時間経過時に、以下の動作を行う（ステップ６）。即ち、測定時間決定手段４は、ピークホールド手段１２によってホールドされている最高値が３５．０℃以上の場合に、次の動作を行う（ステップ７）。即ち、測定最高値比較手段１７が測定値記憶手段１６に記憶されているそれまでの測定値の最高値と比較して今回の値がそれ以上または今回の値の方が低いがその差が０．２℃以下の時は、測定時間決定手段４は、その時点で遮蔽板駆動手段９により遮蔽板８を閉状態にしてから動作を停止し、報知手段６を構成するブザー吹鳴部でピーと測定終了音を吹鳴し、ピークホールド手段１２によってホールドされている最高値を耳孔内体温として報知手段６を構成する液晶表示部に表示し、測定値記憶手段１６に記憶する（ステップ８、１２）。
【００３４】
もし、測定最高値比較手段１７が測定値記憶手段１６に記憶されているそれまでの測定値の最高値と比較して今回の値が０．２℃以上低い時は、つまり、既に探し出した耳孔内の鼓膜の方向を今回の測定では正確に捉えていない場合は、測定時間決定手段４は、さらに５秒単位で測定時間を延長する。（ステップ８、９）また、この５秒が経過した時点で、測定最高値比較手段１７が再び今回の測定値と測定値記憶手段１６に記憶されているそれまでの測定値の最高値との比較を行う。このとき今回の測定値が前記測定値の最高値以上であるか、または今回の測定値の方が低いがその差が０．２℃以下であれば、遮蔽板駆動手段９により遮蔽板８を閉状態にしてから動作を停止し、報知手段６を構成するブザー吹鳴部でピーと測定終了音を吹鳴し、ピークホールド手段１２によってホールドされている最高値を耳孔内体温として報知手段６を構成する液晶表示部に表示する。
【００３５】
測定時間決定手段４は、ピークホールド手段１２によってホールドされている最高値が３５．０℃以下の場合は、まず５秒単位の測定時間延長動作を行った上で上記の動作を行う。この時、５秒単位の延長の繰り返しが行われた場合でも、最初に報知した測定時間と延長時間の合計が所定時間（本実施例では１分）を超えないものとしている。１分を超えても目的の耳孔内体温が得られない場合は、遮蔽板駆動手段９により遮蔽板８を閉状態にしてから動作を停止し、報知手段６を構成するブザー吹鳴部でピーと測定終了音を吹鳴し、エラー表示をしてピークホールド手段１２によってホールドされている最高値を耳孔内体温として報知手段６を構成する液晶表示部に表示する（ステップ１０〜１２）。
【００３６】
なお本実施例では、測定時間延長のタイミングを測定前に報知した測定時間経過時としたが、次回の測定から延長するようにしてもかまわない。また、本実施例では、測定値記憶手段に記憶している最高測定値と比較して−０．２℃以下に収まるまで時間を延長するようにしたが、延長時間経過後は、さらに測定時間を延長することはせずエラー表示等を行ってもかまわない。
【００３７】
以上のように本実施例によれば、既に探し出した鼓膜方向を今回の測定ではとらえていない場合に対処して測定値の信頼性及び測定再現性を向上した耳式体温計を実現するものである。
【００３８】
（実施例５）
続いて本発明の第５の実施例について説明する。図６は本実施例の構成を示すブロック図である。本実施例では、実施例４の構成に加えて、耳孔内体温値修正報知手段１８を有しているものである。
【００３９】
以下、本実施例の動作について説明する。使用者が、電源入／切スイッチ６を押して本体１の電源を入れ、測定スイッチ１３を押し、耳孔内体温の測定を行い、測定最高値比較手段１７が測定値記憶手段１６に記憶されているそれまでの測定値の最高値と比較して測定時間の延長を行うか否かを決定するまでの動作は、実施例４と同様である。測定最高値比較手段１７の比較の結果、今回の値が測定値記憶手段１６に記憶されているそれまでの測定値の最高値よりも所定値（本実施例では０．２℃）以上高い時は、測定時間決定手段４は、報知手段５を構成するブザー吹鳴部でピーと測定終了音を吹鳴し、ピークホールド手段１２によってホールドされている最高値を耳孔内体温として報知手段６を構成する液晶表示部に表示し、測定値記憶手段１６にこのときの測定値を記憶する。さらに、耳孔内体温値修正報知手段１８は、報知手段５を構成するブザー吹鳴部でピピピピピと注意喚起音を吹鳴し、報知手段５を構成する液晶表示部に表示した値を一定時間点滅させる。
【００４０】
なお本実施例では、測定値記憶手段に記憶されているそれまでの測定値の最高値よりも０．２℃以上高い時に、耳孔内体温値の修正報知を行うようにしたが、その差は標準偏差値等の任意の値としてかまわない。また本実施例ではブザー吹鳴部でピピピピピと注意喚起音を吹鳴し、液晶表示部に表示した値を一定時間点滅して修正報知するようにしたが、音声等で報知してもかまわない。
【００４１】
以上のように本実施例によれば、使用者がそれまで鼓膜方向だ思っていた方向が間違っていた場合でも正しい鼓膜方向を探し出せる測定値の信頼性を向上した耳式体温計となっている。
【００４２】
（実施例６）
続いて本発明の第６の実施例について説明する。図７は本実施例の構成を示すブロック図である。本実施例では、実施例５の構成に加えて、測定回数記憶手段１９を有している。
【００４３】
以下、本実施例の動作について説明する。使用者が、電源入／切スイッチ６を押して本体１の電源を入れ、測定スイッチ１３を押し、耳孔内体温の測定を行い、測定最高値比較手段１７が測定値記憶手段１６に記憶されているそれまでの測定値の最高値と比較して測定時間の延長を行うか否かを決定し、必要に応じて耳孔内体温値の修正報知を行い、１回の測定が終了するまでの動作は、実施例５と同様である。測定回数記憶手段１９は、計時手段１５が計時する測定間隔が１０分未満である場合についてのみ、測定スイッチ１３が押された回数、即ち耳孔内体温の測定回数を記憶する。測定回数記憶手段１９は、計時手段１５が計時する測定間隔が１０分以上になれば、記憶している測定回数をリセットする。
【００４４】
測定時間決定手段４は、測定スイッチ１３が押されて、初期測定時間を決定する際に、測定回数記憶手段１９に記憶している測定回数に応じて初期測定時間を減じていく。即ち、測定時間決定手段４が室温に応じて決定した１回目の測定時間が１５秒であれば、２回目は１２秒、３回目以降は１０秒という具合に決定し、報知するものである。勿論、この初期測定時間経過後の測定時間延長に関する動作は実施例５と同様である。
【００４５】
なお本実施例では、測定回数記憶手段に記憶している測定回数に応じて減じる時間は、回数に対応して個々に決めたが、回数の関数に従って減ずる様にしてもかまわない。
【００４６】
以上のように本実施例によれば、測定回数を重ねることによる練習効果や耳孔の拡がりや耳孔内の温度回復の速さに応じて信頼性の高い測定値を短時間測定で得ることのできる耳式体温計、使用者が信頼性の高い測定値を得るための意識付けを図った耳式体温計となっている。
【００４７】
【発明の効果】
本発明は、耳孔内体温を測定する耳孔内体温測定手段と、測定時間を決定する測定時間決定手段と、測定結果を報知する報知手段とを備え、前記耳孔内体温測定手段は、測定時間内の耳孔内体温をピークホールドし、前記測定時間決定手段は、基準時間に室温に応じた時間を加減算して測定時間を決定する構成として、測定値の再現性の高い耳式体温計を実現するものである。
【００４８】
請求項１に記載した発明は、測定時間決定手段は、耳孔内体温の測定間隔が所定時間以上空いた時、その時点の室温で測定時間を再決定する構成として、測定の時間間隔が長い場合にも正確な測定ができる耳式体温計を実現するものである。
【００４９】
請求項２に記載した発明は、測定時間決定手段は、耳孔内体温の測定間隔が所定時間未満の耳孔内体温値の測定値を記憶する測定値記憶手段と、前記測定値記憶手段に記憶されている最高値と今回の耳孔内体温の測定値とを比較する測定最高値比較手段を備え、測定値値記憶手段に記憶されている最高値より今回の耳孔内体温の測定値が所定値以上低い時は測定時間を延長する構成として、今回の測定が鼓膜の方向を正確に捉えていない場合に測定時間を延長して正確な測定ができる耳式体温計を実現するものである。
【００５０】
請求項３に記載した発明は、測定時間決定手段は、耳孔内体温の測定間隔が所定時間未満の測定回数を記憶する測定回数記憶手段が記憶している測定回数に応じて測定時間を変える構成として、測定回数を重ねるにつれて短時間で正確な測定ができる耳式体温計を実現するものである。
【００５１】
請求項４に記載した発明は、測定時間決定手段は、耳孔内体温の測定値が所定値より低い時は測定時間を延長する構成として、プローブの方向が鼓膜の方向ではないときには測定時間を延長するようにして、測定値の信頼性の高い耳式体温計を実現するものである。
【００５２】
請求項５に記載した発明は、耳孔内体温値修正報知手段を備え、耳孔内体温値修正報知手段は、今回の測定値が測定値記憶手段に記憶されている最高値より所定値以上高い時に、今回の測定値を耳孔内体温値として修正報知する構成として、鼓膜の方向を正しく修正でき、正確な測定ができる耳式体温計を実現するものである。
【図面の簡単な説明】
【図１】本発明の第１の実施例である耳式体温計の構成を示すブロック図
【図２】同、第２の実施例である耳式体温計の構成を示すブロック図
【図３】同、第３の実施例である耳式体温計の構成を示すブロック図
【図４】同、第４の実施例である耳式体温計の構成を示すブロック図
【図５】同、第４の実施例である耳式体温計の動作を示すフローチャート
【図６】同、第５の実施例である耳式体温計の構成を示すブロック図
【図７】同、第６の実施例である耳式体温計の構成を示すブロック図
【符号の説明】
１    本体
２    プローブ
３    耳孔内体温測定手段
４    測定時間決定手段
５    報知手段
６    電源入／切スイッチ
７    赤外線センサ
８    遮蔽板
９    遮蔽板駆動手段
１０  赤外線センサ素子温度検出手段
１１  耳孔内体温演算手段
１２  ピークホールド手段
１３  測定スイッチ
１４  耳孔内体温比較手段
１５  計時手段
１６  測定値記憶手段
１７  測定最高値比較手段
１８  耳孔内体温値修正報知手段
１９  測定回数記憶手段
【図１】
0004191851.tif 000002
【図２】
0004191851.tif 000003
【図３】
0004191851.tif 000004
【図４】
0004191851.tif 000005
【図５】
0004191851.tif 000006
【図６】
0004191851.tif 000007
【図７】
0004191851.tif 000008